(57)【特許請求の範囲】
【請求項１】
第１の照明手段と第２の照明手段と撮像装置とを有するカメラシステムであって、
被写体反射光を測光する測光手段と、
前記第１の照明手段の本発光による被写体反射光と前記第２の照明手段の本発光による被写体反射光との光量比を設定する設定手段と、
前記第１の照明手段のプリ発光による被写体反射光と前記光量比に基づいて前記第１の照明手段の本発光量を演算し、前記第２の照明手段のプリ発光による被写体反射光と前記光量比に基づいて前記第２の照明手段の本発光量を演算する演算手段と、
前記第１の照明手段のモデリング発光による被写体反射光と前記第２の照明手段のモデリング発光による被写体反射光との光量比が前記光量比となるように前記第１の照明手段および前記第２の照明手段をモデリング発光させる発光制御手段とを有し、
前記発光制御手段は、１回のモデリング発光で発光される前記第１の照明手段および前記第２の照明手段の発光量を前記演算手段により演算されたそれぞれの本発光量よりも大きくすることを特徴とするカメラシステム。
【請求項２】
前記発光制御手段は、前記第１の照明手段および前記第２の照明手段の少なくとも一方を最大発光量でモデリング発光させることを特徴とする請求項１に記載のカメラシステム。
【請求項３】
前記第１の照明手段および前記第２の照明手段は、少なくとも１つのストロボからなることを特徴とする請求項１に記載のカメラシステム。
【請求項４】
前記発光制御手段は、前記第１の照明手段および前記第２の照明手段のストロボのうち少なくとも１つを最大発光量でモデリング発光させることを特徴とする請求項３に記載のカメラシステム。
【請求項５】
第１の照明手段と第２の照明手段とを用いる撮像装置であって、
被写体反射光を測光する測光手段と、
前記第１の照明手段の本発光による被写体反射光と前記第２の照明手段の本発光による被写体反射光との光量比を設定する設定手段と、
前記第１の照明手段のプリ発光による被写体反射光と前記光量比に基づいて前記第１の照明手段の本発光量を演算し、前記第２の照明手段のプリ発光による被写体反射光と前記光量比に基づいて前記第２の照明手段の本発光量を演算する演算手段と、
前記第１の照明手段のモデリング発光による被写体反射光と前記第２の照明手段のモデリング発光による被写体反射光との光量比が前記光量比となるように前記第１の照明手段および前記第２の照明手段をモデリング発光させる発光制御手段とを有し、
前記発光制御手段は、１回のモデリング発光で発光される前記第１の照明手段および前記第２の照明手段の発光量を前記演算手段により演算されたそれぞれの本発光量よりも大きくすることを特徴とする撮像装置。
【請求項６】
前記発光制御手段は、前記第１の照明手段および前記第２の照明手段の少なくとも一方を最大発光量でモデリング発光させることを特徴とする請求項５に記載の撮像装置。
【請求項７】
前記第１の照明手段および前記第２の照明手段は、少なくとも１つのストロボからなることを特徴とする請求項５に記載の撮像装置。
【請求項８】
前記発光制御手段は、前記第１の照明手段および前記第２の照明手段のストロボのうち少なくとも１つを最大発光量でモデリング発光させることを特徴とする請求項７に記載の撮像装置。
【発明の詳細な説明】
【０００１】
【発明の属する技術分野】
本発明は複数のストロボを用いたカメラシステムで、ストロボの実際の設定光量比に応じた被写体の陰影状況を撮影に先立ち確認可能なカメラシステムに関するものである。
【０００２】
【従来の技術】
写真撮影を行う際に、被写体に生じる影や陰影は重要な写真表現の手段である。しかしながら、ストロボを用いた写真撮影においては、ストロボ光は発光時間が数ｍｓｅｃ程度の瞬間光であるので、テスト発光を行ってもストロボにより生じる影や被写体の陰影を詳細に観察することは困難であった。そのため写真スタジオで用いられているストロボには、モデリングランプと称して、白熱電球がストロボの放電管と等価位置に配置されており、また、ストロボの発光光量に同期してモデリングランプの明るさが制御されるようにできているので、ストロボ撮影の前に被写体の陰影や、被写体に生じる影などを確認することができるようになっている。
【０００３】
しかしながら、アマチュアが使う電池を電源とするような小型のストロボでは、電池の容量的にも、また、ストロボの大きさの制限からも、ストロボ内に陰影が確認できるほどの白熱電球を搭載することが不可能であるので、ストロボ自体を間欠的に所定秒時発光させて、モデリングランプの代用とすることが行われている。
【０００４】
このストロボ自体を間欠的に発光させてモデリングランプとする方式の第１例として、特開平７−１２０８１５号公報では、カメラ本体に内蔵したストロボから光パルス信号を発生し、スレーブストロボはこの信号を受信して間欠モデリング発光させる例が開示されている。
【０００５】
また第２例では、特開平７−１５９８６６号公報には有線接続で設定した所定光量比で間欠モデリング発光を行う例が開示されている。また、第３例として特開平８−４３８９０号公報には無線で多灯モデリングを行う例が開示されている。
【０００６】
【発明が解決しようとする課題】
ところで、上記第１例では、複数のスレーブストロボが配置されている場合でも、いずれのストロボも同等の光量で光る為に、セッティングが変われば被写体に対する光量比も変わってしまうという問題をもっている。これはモデリングに関しても同じである。
【０００７】
これはある面では距離を変えてストロボをセッティングすることにより任意の光量比を得られるメリットもあるが、たとえば２台のスレーブストロボの光量比を１：２に設定したい場合は２台のストロボの被写体との距離比は√２：１に、１：３の場合は√３：１に設定する必要があり、距離設定の難しさを伴う。さらにストロボ自体の光質を柔らかくするようなディフーザー等を用いた場合は、実際の被写体での光量比はさらに分からなくなってしまう。
【０００８】
また上記第２例では、複数のストロボを有線で接続し、各々のストロボで設定した発光量情報に基づき、本発光を行い、また設定された発光量情報に対応した光量で間欠モデリング発光を行うものであるが、発光部自体の光量を設定するものであるので、被写体とストロボの距離が変われば実際の設定光量比は得られず、またモデリング発光も同様に被写体とストロボの距離が変われば被写体での設定光量比は得られない。
【０００９】
また上記第３例では無線で複数のストロボに間欠モデリング発光を指示するものであるが、第１例と同様に、いずれのストロボも同等の光量で光る為に、セッティングが変われば被写体に対する光量比も変わってしまうという問題をもっている。これはモデリングに関しても同じである。
【００１０】
従って上記従来例では等光量で間欠モデリング発光を行うか、発光部の設定光量に比例した光量で間欠モデリング発光を行うものであり、実際の被写体に対する光量にモデリング発光が対応しているものがなかった。
【００１１】
本出願に係る発明の目的は、設定された光量比が実際の被写体陰影条件に合致するモデリング発光が可能なカメラシステムおよび撮像装置を提供しようとするものである。
【００１２】
【課題を解決するための手段】
上記目的を達成するために、本発明のカメラシステムは、第１の照明手段と第２の照明手段と撮像装置とを有するカメラシステムであって、被写体反射光を測光する測光手段と、前記第１の照明手段の本発光による被写体反射光と前記第２の照明手段の本発光による被写体反射光との光量比を設定する設定手段と、前記第１の照明手段のプリ発光による被写体反射光と前記光量比に基づいて前記第１の照明手段の本発光量を演算し、前記第２の照明手段のプリ発光による被写体反射光と前記光量比に基づいて前記第２の照明手段の本発光量を演算する演算手段と、前記第１の照明手段のモデリング発光による被写体反射光と前記第２の照明手段のモデリング発光による被写体反射光との光量比が前記光量比となるように前記第１の照明手段および前記第２の照明手段をモデリング発光させる発光制御手段とを有し、前記発光制御手段は、１回のモデリング発光で発光される前記第１の照明手段および前記第２の照明手段の発光量を前記演算手段により演算されたそれぞれの本発光量よりも大きくすることを特徴とするカメラシステムことを特徴とするものである。
【００１３】
また、本発明の撮像装置は、第１の照明手段と第２の照明手段とを用いる撮像装置であって、被写体反射光を測光する測光手段と、前記第１の照明手段の本発光による被写体反射光と前記第２の照明手段の本発光による被写体反射光との光量比を設定する設定手段と、前記第１の照明手段のプリ発光による被写体反射光と前記光量比に基づいて前記第１の照明手段の本発光量を演算し、前記第２の照明手段のプリ発光による被写体反射光と前記光量比に基づいて前記第２の照明手段の本発光量を演算する演算手段と、前記第１の照明手段のモデリング発光による被写体反射光と前記第２の照明手段のモデリング発光による被写体反射光との光量比が前記光量比となるように前記第１の照明手段および前記第２の照明手段をモデリング発光させる発光制御手段とを有し、前記発光制御手段は、１回のモデリング発光で発光される前記第１の照明手段および前記第２の照明手段の発光量を前記演算手段により演算されたそれぞれの本発光量よりも大きくすることを特徴とするものである。
【００２５】
【発明の実施の形態】
図１は本発明を１眼レフレックスカメラに適用して実施したストロボ制御カメラシステムの主に光学的な構成を説明した横断面図である。
【００２６】
１はカメラ本体であり、この中に光学部品、メカ部品、電気回路、フィルムなどを収納し、写真撮影が行えるようになっている。２は主ミラーで、観察状態と撮影状態に応じて撮影光路へ斜設されあるいは退去される。また主ミラー２はハーフミラーとなっており、後述する焦点検出光学系に被写体からの光線の約半分を透過させている。３は撮影レンズ１１の予定結像面に配置されたピント板、４はファインダー光路変更用のペンタプリズム、５はアイピースで撮影者はこの窓よりピント板３を観察することで、撮影画面を観察することができる。６，７は観察画面内の被写体輝度を測定する為の結像レンズと測光センサーで、結像レンズ６はペンタプリズム４内の反射光路を介してピント板３と測光センサー７を共役に関係付けている。
【００２７】
８はシャッター、９は感光部材で、銀塩フィルム等より成っている。
【００２８】
２５はサブミラーであり被写体からの光線を下方に折り曲げて、焦点検出ユニット２６の方に導いている。焦点検出ユニット２６内には、２次結像ミラー２７、２次結像レンズ２８、焦点検出ラインセンサ２９等から成っている。２次結像ミラー２７、２次結像レンズ２８により焦点検出光学系を成しており、撮影光学系の２次結像面を焦点検出ラインセンサ２９上に結んでいる。焦点検出ユニット２６は既知の位相差検出法により撮影画面内の被写体の焦点状態を検出し、撮影レンズの焦点調節機構を制御することにより自動焦点検出装置を実現している。
１０はカメラとレンズとのインターフェイスとなるマウント接点群であり、１１はカメラ本体に据え付けられるレンズ鏡筒である。１２〜１４は撮影レンズであり１２は１群レンズで、光軸上を前後に移動することで、撮影画面のピント位置を調整することができる。１３は２群レンズで光軸上を前後に可動することで、撮影画面の変倍となり撮影レンズの焦点距離が変更される。１４は３群固定レンズである。１５は撮影レンズ絞りである。
【００２９】
１６は１群レンズ駆動モータであり、自動焦点調節動作に従って１群レンズを前後に移動させることにより自動的にピント位置を調整することができる。１７はレンズ絞り駆動モータであり、これにより撮影レンズ絞りを所望される絞り径に駆動できる。
【００３０】
１８は外付けストロボ（閃光装置）で、カメラ本体１に取り付けられ、カメラからの信号に従って発光制御を行うものである。１９は発光管としてのキセノン管で電流エネルギーを発光エネルギーに変換する。２０，２１は反射板とフレネルレンズであり、それぞれ発光エネルギーを効率良く被写体に向けて集光する役目である。２２はカメラ本体１と外付けストロボ１８とのインターフェースとなるストロボ接点群である。３０は、グラスファイバー等の光伝達手段でありキセノン管１９の発光した光をモニタする受光手段であるフォトダイオード等の第１受光手段としての受光素子３１に導いている。３１はストロボのプリ発光及び本発光の光量を直接測光しているものである。３２は、やはりキセノン管１９の発光した光をモニタする第２の受光手段である、フォトダイオード等の受光素子である。受光素子３２の出力によりキセノン管１９の発光電流を制限してフラット発光の制御を行うものである。２０ａ，２０ｂは反射笠２０と一体となったライトガイドであり、受光素子３２、またはファイバー３０にキセノン管の光を反射して導く。
【００３１】
次に、図２及び図３は本実施の形態の電気回路ブロック図を示している。図１と対応する部材には同じ番号が付されている。
【００３２】
カメラ側の制御手段として、カメラマイコン（マイクロコンピュータ）１００は、発振器１０１で作られるクロックをもとに内部の動作が行われる。
【００３３】
記憶手段としてのＥＥＰＲＯＭ１００ｂは、フィルムカウンタその他の撮影情報を記憶可能である。１００ｃのＡ／Ｄ（アナログ−ディジタル変換器）は、焦点検出回路１０５、測光回路１０６からのアナログ信号をＡ／Ｄ変換し、カメラマイコン１００はそのＡ／Ｄ値を信号処理することにより各種状態を設定する。
カメラマイコン１００には、焦点検出回路１０５、測光回路１０６、シャッター制御回路１０７、モーター制御回路１０８、フィルム走行検知回路１０９、スイッチセンス回路１１０、ＬＣＤ駆動回路１１１が接続されている。また、撮影レンズ内に配置されたレンズ制御回路としてのマイコン（マイクロコンピュータ）１１２とはマウント接点１０を介して信号の伝達がなされ、外付けストロボとは、ストロボ接点群２２を介してストロボ側の処理手段としてのストロボマイコン（マイクロコンピュータ）２３８と信号の伝達がなされる。
【００３４】
焦点検出回路１０５はカメラマイコン１００の信号に従い、公知の測距素子であるＣＣＤラインセンサー２９の蓄積制御と読み出し制御を行って、それぞれの画素情報をカメラマイコン１００に出力する。カメラマイコン１００はこの情報をＡ／Ｄ変換し周知の位相差検出法による焦点検出を行う。
【００３５】
カメラマイコン１００は焦点検出情報により、レンズマイコン１１２と信号のやりとりを行うことによりレンズの焦点調節を行う。
【００３６】
測光回路１０６は被写体の輝度信号として、測光センサ７からの出力をカメラマイコン１００に出力する。測光回路１０６は、被写体に向けてストロボ光をプリ発光していない定常状態とプリ発光しているプリ発光状態と双方の状態で輝度信号を出力し、カメラマイコン１００は輝度信号をＡ／Ｄ変換し、撮影の露出の調節の為の絞り値の演算とシャッタースピードの演算、及び露光時のストロボ本発光量の演算を行う。
【００３７】
シャッター制御回路１０７は、カメラマイコン１００からの信号に従って、フォーカルプレンシャッタ８を構成するシャッター先幕駆動マグネットＭＧ−１、およびシャッター後幕駆動マグネットＭＧ−２を走行させ、露出動作を担っている。
【００３８】
モータ制御回路１０８は、カメラマイコン１００からの信号に従ってモータを制御することにより、主ミラー２のアップダウン、及びシャッターのチャージ、そしてフィルムの給送を行っている。
【００３９】
フィルム走行検知回路１０９は、フィルム給送時にフィルムが１駒分巻き上げられたかを検知し、カメラマイコン１００に信号を送る。
【００４０】
ＳＷ１は不図示のレリーズ釦の第１ストロークでＯＮし、測光、ＡＦを開始するスイッチとなる。ＳＷ２はレリーズ釦の第２ストロークでＯＮし、露光動作を開始するスイッチとなる。ＳＷＦＥＬＫはプリ発光を独立して行うスイッチであり、ＳＷＳＴＰＤＮは撮影前に被写界深度を確認する為にレンズの絞りを絞り込む為の絞り込みスイッチであり、スイッチＳＷ１、ＳＷ２、ＳＷＦＥＬＫ及びその他不図示のカメラの操作部材からの信号は、スイッチセンサ回路１１０が検知し、カメラマイコン１００に送っている。
【００４１】
液晶表示回路１１１はファインダー内ＬＣＤ２４とモニタ用ＬＣＤ４２の表示をカメラマイコン１００からの信号に従って制御している。ＳＷＸはストロボ発光開始スイッチであり、シャッター先幕走行完了と同時にオンする。
【００４２】
次にカメラマイコン１００のストロボとレンズのインターフェース端子の説明を行う。
【００４３】
ＳＣＫはストロボとのシリアル通信を行う為の同期クロックの出力端子、ＳＤＯはストロボとのシリアル通信の為のシリアルデータ出力端子、ＳＤＩはストロボとのシリアル通信の為のデータ入力端子、ＳＣＨＧはストロボの発光可能を検出する為の入力端子、ＬＣＫはレンズとのシリアル通信を行う為の同期クロックの出力端子、ＬＤＯはレンズとのシリアル通信の為のシリアルデータ出力端子、ＬＤＩはレンズとのシリアル通信の為のデータ入力端子である。
【００４４】
次にレンズの構成に関して説明を行う。カメラ本体とレンズはレンズマウント接点１０を介して相互に電気的に接続される。このレンズマウント接点１０はレンズ内のフォーカス駆動用モータ１６、および絞り駆動用モータ１７の電源用接点であるＬ０、レンズ制御手段としてのレンズマイコン１１２の電源用接点であるＬ１、公知のシリアルデータ通信を行う為のクロック用接点Ｌ２、カメラからレンズへのデータ送信用接点Ｌ３、レンズからカメラへのデータ送信用接点Ｌ４、前記モータ用電源に対するモータ用グランド接点であるＬ５、前記レンズマイコン１１２用電源に対するグランド接点であるＬ６で構成されている。
【００４５】
レンズマイコン１１２は、これらのレンズマウント接点１０を介してカメラマイコン１００と接続され、１群レンズ駆動モータ１６及びレンズ絞りモータ１７を動作させ、レンズの焦点調節と絞りを制御している。３５，３６は光検出器とパルス板であり、レンズマイコン１１２がパルス数をカウントすることにより１群レンズの位置情報を得ることができ、レンズの焦点調節を行うことができる。
次にストロボの構成に関して図３を用いて説明を行う。
【００４６】
２０１は電源であるところの電池、２０２は公知のＤＣ−ＤＣコンバータであり、電池電圧を数１００Ｖに昇圧する。
【００４７】
２０３は発光エネルギーを蓄積するメインコンデンサ、２０４，２０５は抵抗であり、メインコンデンサ２０３の電圧を所定比に分圧する。２０６は発光電流を制限する為の第１のコイル、２０７は発光停止時に発生する逆起電圧を吸収する為の第１のダイオード、２０８は発光電流を制限する為の第２のコイル、２０９は発光停止時にコイル８に発生する逆起電圧を吸収する為の第２のダイオードである。
【００４８】
１９は発光手段であるキセノン（Ｘｅ）管、２１１はトリガ発生回路、２１２はＩＧＢＴなどの発光制御回路、２１３はコイル２０８をバイパスさせる為のスイッチング素子であるところのサイリスタであり、Ｘｅ管１９を用いて光通信を行う時にＸｅ管１９から短い光パルスを発生させる場合、および、閃光発光時の発光停止時の停止制御性を良くする際にコイル２０８に電流を流さない様にサイリスタ２１３で発光電流をバイパスさせる。
【００４９】
２１４はサイリスタ２１３をターンオンさせる為にサイリスタ２１３の制御極であるゲートに電流を流す為の抵抗、２１５はサイリスタ２１３がオフ状態の時に該サイリスタのゲートにノイズが印加されてターンオンすることを防止する為のゲート電位安定化抵抗、２１６はサイリスタ２１３を急速にオンさせる為のコンデンサ、２１７はサイリスタ２１３がオフ状態の時に該サイリスタのゲートにノイズが印加されてターンオンすることを防止する為のノイズ吸収コンデンサ、２１８はサイリスタ２１３のゲート電流をスイッチングする為のトランジスタである。
【００５０】
２１９，２２０は抵抗、２２１はトランジスタ２１８をスイッチングする為のトランジスタ、２２２，２２３は抵抗である。
【００５１】
２３０はデータセレクタであり、Ｙ０、Ｙ１の２入力の組み合わせにより、Ｄ０、Ｄ１、Ｄ２を選択してＹに出力する。
【００５２】
２３１はＦＰ発光（フラット発光）の発光強度調停用のコンパレータ、２３２は閃光発光時の発光量調停用のコンパレータ、３２はＦＰ発光制御用の受光センサであるところのフォトダイオードであり、発光手段であるＸｅ管１９の光出力をモニタする。
【００５３】
２３４はフォトダイオード３２に流れる微少電流を増幅すると共に光電流を電圧に変換する測光回路、３１は閃光発光制御用の受光センサであるところのフォトダイオードであり、発光手段であるＸｅ管１９の光出力をモニタする。
【００５４】
２３６はフォトダイオード３１に流れる光電流を電圧に変換すると共に高電流を対数変換し積分する為の測光積分回路である。
【００５５】
２３８はストロボ全体の動作を制御するマイコン、２２はカメラ本体との通信を行う為にホットシューに設けられた接点群、２４０はストロボの動作状態を表示する表示手段であるところの液晶ディスプレイである。
【００５６】
２４１はストロボのワイヤレス動作状態を設定するワイヤレスセレクタースイッチ、２４２はストロボの電源オンオフを制御する電源スイッチ、２４３はストロボの発光可能状態を表示するＬＥＤ、２４４はストロボが適正光量で撮影できたことを表示するＬＥＤである。
【００５７】
２４５は公知のモータ制御回路、２４６はカメラ本体１００に接続されたレンズ１１の焦点距離に合致してＸｅ管１９および反射笠２０を移動し、照射角を設定する為のモータである。
【００５８】
２４７は液晶２４０を照明する為のバックライト点灯スイッチ、２４８はストロボの発光モードを選択する為のモードスイッチ、２４９は発光モードに付随したパラメータ（例えばマニュアル発光時の発光量等）を選択する為のスイッチ、２５０は前記パラメータ設定値を増加させる為のアップスイッチ、２５１は前記パラメータを減少させる為のダウンスイッチ、２５２は手動で発光照射角を設定する為のズームスイッチである。
【００５９】
２５３，２５４，２５５は発光照射角の位置を示すエンコーダ、２５６は光通信信号を受信する為の受光素子であるところのフォトダイオード、２５７はフォトダイオード２５６に流れる光電流を増幅し、電圧に変換する受光回路である。
次にマイコン２３８の各端子を説明する。
【００６０】
ＣＮＴはＤＣ／ＤＣコンバータ２の充電を制御する制御出力端子、ＬＣＤＳは液晶２４０を表示する為の配線群、ＣＯＭ１はスイッチ２４１のグランド電位に相当する制御出力端子、ＮＯＲＭはストロボの動作状態が通常撮影状態（ワイヤレスモードではない）時に選択される入力端子である。
【００６１】
ＭＡＳＴＥＲはストロボの動作状態がワイヤレスマスターモード、すなわちカメラホットシュー接点群２２を用いてカメラに接続され、ワイヤレススレーブストロボの動作を制御する状態である時に選択される入力端子、ＳＬＡＶＥはストロボの動作状態がワイヤレススレーブモード、すなわちカメラから離れた位置に設置され、マスターストロボからの発光制御光信号を受光素子２５６で受信し、ストロボの発光を制御する状態である時に選択される入力端子である。
【００６２】
次に、ＣＯＭ２はスイッチ２４２のグランド電位に相当する制御出力端子、ＯＦＦはストロボが電源オフ時に選択される入力端子、ＯＮはストロボが電源オン時に選択される入力端子、ＳＥはストロボが所定時間経過後に電源オフ状態になる時に選択される入力端子である。
【００６３】
ＣＬＫはカメラとのシリアル通信の同期クロック入力端子、ＤＯは同期クロックに同期して、ストロボからカメラにシリアルデータを転送する為のシリアルデータ出力端子、ＤＩは同期クロックに同期して、カメラからストロボにシリアルデータを転送する為のシリアルデータ入力端子である。
【００６４】
Ｍ０、Ｍ１はモータドライバの４動作状態（ＣＷ駆動、ＣＣＷ駆動、モータオフ、モータブレーキ）を制御する為の出力端子、ＺＯＯＭ０、ＺＯＯＭ１、ＺＯＯＭ２は前述のズーム位置を示すエンコーダ２５３，２５４，２５５を入力する入力端子、ＣＯＭ０はズームエンコーダ等のグランド電位に相当する制御出力端子、ＺＯＯＭは前述ズーム位置設定スイッチ２５２の入力端子、ＤＯＷＮはストロボ設定情報の減少スイッチ２５１の入力端子、ＵＰはストロボ設定情報の増加スイッチ２５０の入力端子、ＳＥＬ／ＳＥＴは前述のデータ選択スイッチ２４９の入力端子、ＭＯＤＥは前述の発光モード選択スイッチ２４８の入力端子、ＬＩＧＨＴは前述の照明スイッチ２４７の入力端子、ＹＩＮはデータセレクタ２３０の出力状態検出の為の入力端子、ＩＮＴは測光積分回路２３６の積分制御出力端子であり、ＡＤ０は測光積分回路２３６の発光量を示す積分電圧を読み込む為のＡ／Ｄ変換入力端子であり、ＤＡ０はコンパレータ２３１および２３２のコンパレータ電圧を出力する為のＤ／Ａ出力端子である。
【００６５】
Ｙ０、Ｙ１は前述データセレクタ２３０の選択状態設定出力端子であり、ＴＲＩＧは発光トリガ発生出力端子であり、ＳＣＲ＿ＣＴＲＬはサイリスタ２１３の制御出力端子である。
【００６６】
図４は本実施の形態によるストロボ装置の外観図である。
【００６７】
各スイッチおよび表示等は図３と同じ番号を付しているので、説明は省略する。なお、２４１のワイヤレスモードセレクタースイッチは、３状態に設定可能なスライドスイッチであり、ＮＯＲＭは通常撮影状態、ＭＡＳＴＥＲはカメラに装着するマスターストロボ状態、ＳＬＡＶＥはカメラ本体から離れた位置に配置するスレーブストロボ状態を意味する。また、２５８は前述光信号受光素子２５６の受光窓である。
【００６８】
図５は本実施の形態によるワイヤレスストロボシステムを用いた撮影例を示す図であり、２台のストロボを用いて、Ａ，Ｂの２グループの２灯光量比撮影を行う例である。この際カメラ１に接続されたストロボはグループＡとして設定し、自分自身も発光するとともに、カメラ本体から離した位置に配置されるグループＢに設定されたスレーブストロボに制御情報を送信し、グループＢのストロボとの間で任意の光量比で撮影ができる。また、本発光時の光量比と同じ比率でモデリング発光を行うことができる。
【００６９】
このカメラ１に接続されたマスターストロボの発光モードをマスター発光モードと呼ぶ。なお、２灯制御の各々を、グループＡ、グループＢと呼ぶのは、それぞれ１台だけではなく、ガイドナンバーを大きくする為に、例えばグループＡのマスターストロボ以外にもスレーブモードに設定したグループＡストロボを設定してもよいし、グループＢのストロボを複数台設定してもよい為である。
【００７０】
また、各々のストロボは同一のもので良く、カメラ１に接続されたマスターストロボＭＳは前述のワイヤレスモード選択スイッチ２４１がＭＡＳＴＥＲに設定されてあり、スレーブストロボＳＳは前述のワイヤレスモード選択スイッチ２４１がＳＬＡＶＥに設定されている。
【００７１】
次に図６を用いて、ストロボの液晶表示器２４０の表示例を説明する。
【００７２】
図６の（Ａ）は、マスターモード設定時の表示例であり、３０１は自動調光モードを示すモード表示、３０２はＦＰ発光可能であることを示す表示アイコン、３０３は現在のズーム位置を示すズーム表示、３０４はワイヤレスマスターモードに設定されていることを示す表示アイコン、３０５はマスター発光モードに設定されていることを示す正面発光マークであり、３０６は選択されたチャネルを示すチャネル表示である。
【００７３】
３２０は光量比設定モードであることを示す表示であり、グループＡストロボとグループＢストロボの２グループを制御できることを示している。３２１はＡ：Ｂの光量比を示す表示であり、本実施の形態ではＡ：Ｂの光量比を８：１から１：８まで１／２段刻みに連続的に設定できる。設定した光量比は３２２のマーク点灯位置により視覚的に認識できる。なお、本実施の形態では正面発光可能設定のマスターストロボはグループＡとしている。
【００７４】
図６の（Ｂ）はグループＢに設定したワイヤレススレーブモードの表示例である。スレーブモード時はワイヤレス表示アイコンは矢印がストロボ側を向くことによりスレーブモードであることを視覚的に表現する。３０７は発光グループ表示であり、グループＢに設定されたスレーブストロボであることを示す。
【００７５】
次に２灯光量比モデリング発光の動作を説明する。
【００７６】
２灯光量比モデリング発光の動作の概略は、第１のグループ（グループＡ）のストロボがプリ発光を行い、カメラが受光するその反射光により第１の測光値を求め、次に第２のグループ（グループＢ）のストロボがプリ発光を行い、カメラが受光するその反射光により第２の測光値を求め、カメラは設定されているグループＡとグループＢの光量比よりＡ、Ｂ各グループの適正本発光量を求めて、その発光量の比のまま、Ａ、Ｂ両グループのストロボに発光量に応じた光量の間欠発光を行うことによる。
【００７７】
図７はグループＡとグループＢを所定光量比で撮影する為の各グループの光量補正量を示すテーブルである。
【００７８】
同図において、第１列のＡ：Ｂ表示は、図６のストロボの液晶表示器２４０の光量比表示３２１、および光量比設定値表示３２２で示される光量比であり、第２列は光量比表示３２１の数値表示の中間値に対応している。第３列はグループＡストロボの光量補正値であり、第４列はグループＢストロボの光量補正値である。
【００７９】
すなわち、グループＡストロボとグループＢストロボを同一被写体に照射する場合で、双方の光量が加算されて適正にする為には、各グループ毎のストロボのプリ発光による被写体反射光を測光して演算された各々のグループの適正本発光量に図７の発光補正量を加算して本発光を制御することにより適正光量が得られる。
【００８０】
例えば、グループＡ：グループＢ＝１：１にする為には、各グループ１灯のみで発光した場合の適正発光量を各々求め、図７に示すように１：１の場合のグループＡ光量補正量＝−１Ｆ、グループＢ光量補正量＝−１Ｆを各グループの発光量に加算して本発光を行うことにより、所望の光量比の適正光量を得ることができる。
【００８１】
モデリング発光をする際は、この得られた各グループの本発光光量の比率のまま、発光量の大きいグループの発光量をモデリング１発あたりの最大発光量にシフトして、発光量の小さいグループの発光量も同様のシフト量を加算することにより、本発光の発光量比と同じ光量比のモデリング発光を行うことができる。
【００８２】
本実施の形態では、マスターストロボＭＳにおいてこの光量比の設定を行う為に、このテーブルはマスターストロボ内のマイコンＲＯＭ内に記憶されており、カメラ側の要求に応じて、シリアル通信にてカメラに通信するようにしている。但し光量比設定値のみをストロボで情報として有し、その光量比に対応した光量比テーブルをカメラ内で有する様にしてもよい。
【００８３】
次に、図８、図９を用いてモデリング発光時のカメラおよびストロボの動作を説明する。
【００８４】
図８は所定光量比のモデリング発光を行う場合の動作を説明するフローチャートであり、図９はタイミングを説明するタイミングチャートである。
【００８５】
［ステップ１００］  図９の時刻ｔ０に於いて、カメラのモデリング開始スイッチをオンすると、グループＡに設定されているストロボにプリ発光を指示する為に、時刻ｔ１でカメラの通信ラインＣＬＫ（図９Ｂ）、ＤＯ（図９Ｃ）、ＤＩ（図９Ｄ）を介してマスターストロボＭＳに対して公知のシリアル通信でプリ発光指示を行う。
【００８６】
［ステップ１０１］  マスターストロボＭＳはこのカメラからの通信を受信すると、図９（１）、（２）に示す様に、Ｘｅ管１９をパルス的に発光させ、この光パルスの組み合わせでＡグループワイヤレススレーブストロボに対してプリ発光を指示する光通信を送信する。
【００８７】
この光通信は２バイトからなる光パルスで構成され、図９（１）で示す１バイト目は先頭の２ｂｉｔの間隔が前述の混信防止のチャネルを示すものであり、残りの所定間隔の８ｂｉｔの光パルスが１バイト目のデータを示すものであり、グループＡに所定時間のプリ発光を指示する為のコマンドとなっている。
【００８８】
続く２バイト目（図９（２））は、先頭の１ｂｉｔがスタートパルスであり、残りの所定間隔の８ｂｉｔの光パルスがグループＡのプリ発光光度を示すデータで、この２バイト目を送信終了すると、ストロボはＤ０信号ラインをＨｉレベルに戻してカメラにプリ発光指示送信が終わったことを伝達する。なお、このワイヤレス通信の為にＸｅ管をパルス発光をさせる際のマスターストロボの回路的な動作は後述する。
【００８９】
［ステップ１０２］  時刻ｔ５に於いて、カメラはプリ発光開始指示の為に、ＣＬＫ通信ラインをＬｏレベルに引き下げ、マスターストロボＭＳはこれをトリガーとして図９（３）で示す様にカメラから指示された所定発光光度、所定発光時間のプリ発光を行う。このプリ発光をする際のマスターストロボの動作は後述する。
【００９０】
［ステップ１０３］  マスターストロボのプリ発光が開始されると、マスターストロボは図９Ｄに示す様に、ＤＯ通信ラインをＬｏレベルに引き下げるので、カメラはこれに同期してマスターストロボによる被写体反射光を測光センサー７で測光し、ストロボ適正発光量（Ａ＿ＧＡＩＮ）を算出する。なお、このストロボの適正発光量の演算方法に関しては、特開平９−３３９９２号公報にて詳しく述べてあるので此処では省略するが、その概略は、プリ発光による被写体反射光を測光することによりプリ発光の発光量の適正光量に対する差を算出し、本発光の適正発光量を算出するものである。なお、マスターストロボ以外に、グループＡに設定されたスレーブストロボがある場合は、プリ発光指示通信（図９（１）、（２））を受信し、続くマスターストロボのプリ発光に同期してプリ発光が行われる。
【００９１】
［ステップ１０４］  次にステップ１００と同じ手順で、カメラはマスターストロボに対して公知のシリアル通信で、グループＢストロボのプリ発光を指示する。
【００９２】
［ステップ１０５］  マスターストロボＭＳはステップ１０１と同じ手順で、Ｘｅ管１９をパルス発光させてグループＢストロボに対してプリ発光指示送信（図９（４）、（５））を行う。
【００９３】
一方スレーブストロボＳＳＢは、マスターストロボからのプリ発光指示通信（図９（４）、（５））を受信してプリ発光をする為の準備を行う。
【００９４】
［ステップ１０６］  カメラはステップ１０２と同じ手順で時刻ｔ１１でマスターストロボに対してグループＢストロボのプリ発光を指示すると、マスターストロボＭＳはグループＢストロボにプリ発光を開始させる為に時刻ｔ１１でプリ発光開始パルス（図９（６））を発生する。
【００９５】
グループＢスレーブストロボＳＳＢはこの発光開始パルスに同期して所定発光時間、所定発光光度のプリ発光（図９（７））を行う。
【００９６】
［ステップ１０７］  グループＢストロボのプリ発光が開始されるタイミングにｔ１１を合わせて、マスターストロボは図９Ｄに示す様に、ＤＯ通信ラインをＬｏレベルに引き下げるので、ステップ１０３と同様に、カメラはマスターストロボによる被写体反射光を測光センサー７で測光しストロボ適正発光量（Ｂ＿ＧＡＩＮ）を算出する。
【００９７】
［ステップ１０８］  事前にストロボからカメラにシリアル通信ラインＣＬＫ、ＤＩ、ＤＯを介して送られている光量比設定値に相当するＡグループストロボとＢグループストロボの露出補正値（図７に示すデータでありそれぞれＡ＿ＣＯＭＰ、Ｂ＿ＣＯＭＰとする）をＡ、Ｂ各グループストロボのそれぞれの発光量データに加算して各グループストロボの発光量を演算する（すなわちＡ＿ＧＡＩＮ＝Ａ＿ＧＡＩＮ＋Ａ＿ＣＯＭＰ、Ｂ＿ＧＡＩＮ＝Ｂ＿ＧＡＩＮ＋Ｂ＿ＣＯＭＰ）。
【００９８】
［ステップ１０９］  カメラはｔ１３のタイミングで、ステップ１０８で算出したＡ、Ｂ各グループの発光量をマスターストロボに指示すると共にモデリングの開始を指示する。
【００９９】
［ステップ１１０］  マスターストロボＭＳはモデリング発光量を受信すると、ストロボが発光できるモデリング発光の最大発光量（ＭＡＸ＿ＭＯＤＥＬ）と、Ａ、Ｂ各グループストロボの発光量のうちの最大値（ＭＡＸ＿ＧＡＩＮ＝ＭＡＸ（Ａ＿ＧＡＩＮ、Ｂ＿ＧＡＩＮ））との差分をそれぞれの発光量に加算することで実際のモデリング発光量を演算し、モデリング発光コマンド（図９（８））、Ａグループストロボのモデリング発光量（図９（９））、Ｂグループストロボのモデリング発光量（図９（１０））をスレーブストロボに対して送信する。
【０１００】
［ステップ１１１］  マスターストロボＭＳはステップ１１０で求めたＡグループストロボのモデリング発光量にて、時刻ｔ１８から所定時間（所定回数）の間欠発光を行う（図９Ｅ、またはＧ）。
【０１０１】
［ステップ１１２］  スレーブストロボＳＳＢは時刻ｔ１４、ｔ１５、ｔ１６で受信したモデリング開始コマンドおよびデータのうち、ｔ１６のＢグループスレーブストロボの発光量にて、時刻ｔ１８から所定時間（所定回数）間欠発光を行う（図９ＦまたはＨ）。
【０１０２】
なお、図９のＥ）またはＧ）では、モデリング発光の１回の発光は短時間のフラット発光として、フラット発光の波高値（発光光度）を制御することにより光量比を与えている。あるいは所定の発光光度で発光時間を制御することにより光量比を与えても良い。勿論、図９のＧ）またはＨ）に示す所定光量の閃光発光でもよいが、一般に閃光発光に対してフラット発光の方が同じ光量を発生する場合のＸｅ管に流れる電流を少なくできるので、Ｘｅ管の耐久上好ましいと共に、発光電流のスイッチングにより発生するコイル２０６または２０７の振動による音を小さく抑えることが可能となる為である。
【０１０３】
次に各発光モード時におけるストロボの回路の動作を図３の回路図をもとに説明する。
【０１０４】
＜ワイヤレス通信発光動作＞
図１０は図９のｔ１からｔ６までのワイヤレス通信のタイミングチャートを拡大したものである。各番号は図９と同一にしてある。
【０１０５】
マスターストロボマイコン２３８はカメラからのワイヤレス通信指示を受信すると、ＤＡ０出力端子より、ワイヤレス光通信に必要な光パルスの光量に応じた所定の電圧を発生する。
【０１０６】
次にＹ０をローレベル、Ｙ１をハイレベルに設定し、データセレクタ２３０のＤ２入力を選択する。この際Ｘｅ管１９は未発光なので、センサ３２に光電流は流れず、コンパレータ２３１の出力はＬｏレベルであるのでコンパレータ２３１の出力はＨｉレベルであり、発光制御回路２１１は導通状態となる。さらにＳＣＲ＿ＣＴＲＬ端子をＨｉレベルに設定すると、トランジスタ２２１、トランジスタ２１８がオンし、トランジスタ２１８、抵抗２１４を通ってサイリスタ２１３のゲートに電流が流れ、サイリスタ２１３はオン状態となる。
【０１０７】
ＴＲＩＧ端子を所定時間ハイレベルに設定すると、発光制御回路２１２は導通状態であるので、Ｘｅ管１９が発光を開始する。この際、Ｘｅ管１９に流れる電流はコンデンサ２０３、コイル２０６、サイリスタ２１３を通って流れる。すなわち、コイル２０８をサイリスタ２１３でバイパスすることにより高速ワイヤレス通信に必要な立ち上がりの鋭い光パルスが得られる。
【０１０８】
発光が開始されＸｅ管に電流が流れると、光量は徐々に増加し、発光をモニタするセンサ３２の出力が所定電圧になると、コンパレータ２３１の出力がＨｉレベルからＬｏレベルに反転し、その出力はＤ２、Ｙを通って発光制御回路２１２を遮断状態にするので、発光が停止される。同時にマイコン２３８はＹＩＮ端子でモニタしているＹ出力がＬｏレベルになったのを検知してＹ１、Ｙ０端子をＬｏ、Ｌｏレベルに設定し、強制的に発光停止状態とする。
【０１０９】
以降同様にして、所定時間後にチャネル識別信号ＣＨ．を発生する。このチャネル識別信号は複数のスレーブストロボＳＳがある場合にチャネルを選択して混信を防ぐ為のものである。続いて送信データの内容に応じてＤ７〜Ｄ０の必要ビットを等間隔で同様に発光する。
【０１１０】
時刻ｔ３からの２バイト目の発光も同様に行われるが、２バイト目以降はＳＴＡＲＴパルスの後のＣＨ．パルスは出力されず、すぐにＤ７からＤ０のデータが出力される点が１バイト目の発光と異なるものである。
【０１１１】
＜プリ発光動作＞
ストロボがマスターモードの場合は続くｔ５のタイミングでプリ発光動作を行う。マイコン２３８はカメラから指示されたプリ発光強度情報に応じて、ＤＡ０出力に所定の電圧を設定する。なお、スレーブストロボの場合は、マスターストロボから受信した発光強度情報に応じて、ＤＡ０出力に適正発光強度となる所定の電圧を設定する。
【０１１２】
次にＳＣＲ＿ＣＴＲＬ出力端子をローレベルに設定すると、トランジスタ２２１、および２１８がオフするので、サイリスタ２１３はオフ状態となる。同時にＹ０をローレベル、Ｙ１をハイレベルに設定し、入力Ｄ２を選択する。このときキセノン管１９はまだ発光していないので、受光素子３２の光電流は流れず、コンパレータ２３１の反転入力端子に入力される受光回路２３４の出力は発生せず、コンパレータ２３１の出力はＨｉであるので、発光制御回路２１２は導通状態となる。次にＴＲＩＧ端子を所定時間ハイレベルに設定すると、トリガ回路２１１は高圧を発生しキセノン管１９を励起し発光が開始される。この発光電流はコンデンサ２０３よりコイル２０６およびコイル２０８を通ってＸｅ管１９に流れる。
【０１１３】
一方、マイコン２３８は、トリガ発生より所定時間後、測光積分回路２３６に積分開始を指示し、フォトダイオード３１の出力を積分開始すると同時に、所定時間をカウントするマイコン２３８の不図示の内部タイマーを起動させる。なお、トリガ発生から積分開始を遅らせているのは、トリガ発生によるノイズにより、積分回路が光信号以外のノイズを積分することを防止する為であると同時に、実質的な発光はトリガ発生後１０数μｓｅｃのディレイがある為である。
【０１１４】
プリ発光が開始されると、受光素子３２の光電流が多くなり、受光回路２３４の出力が上昇し、コンパレータ２３１の非反転入力に設定されている所定のコンパレート電圧より高くなると、コンパレータ２３１の出力はＬｏに反転し、発光制御回路２１２はキセノン管１９の発光電流を遮断し、放電ループが断たれるが、ダイオード２０９、コイル２０８により環流ループを形成し、発光電流は回路の遅れによるオーバーシュートが収まった後は、徐々に減少する。
【０１１５】
発光電流の減少に伴い、発光強度が低下するので、受光素子３２の光電流は減少し、受光回路２３４の出力は低下し、所定のコンパレートレベル以下に低下すると、再びコンパレータ２３１の出力はＨｉに反転し、発光制御回路２１２が再度導通しキセノン管１９の放電ループが形成され、発光電流が増加し発光強度も増加する。このように、ＤＡ０に設定された所定のコンパレート電圧を中心に短い周期で発光強度の増加減少を繰り返し結果的には、所望するほぼ一定の発光強度で発光を継続させるフラット発光の制御ができる。
【０１１６】
発光時間タイマのカウントにより、所定のプリ発光時間が経過すると、マイコン２３８はＹ１、Ｙ０端子をＬｏ、Ｌｏに設定しデータセレクタ２３０の入力はＤ０すなわちＬｏレベル入力が選択され、出力は強制的にＬｏレベルとなり、発光制御回路２１２はキセノン管１９の放電ループを遮断し、発光終了する。
【０１１７】
発光終了時に、マイコン２３８は、プリ発光を積分した測光積分回路２３６の出力をＡ／Ｄ入力端子ＡＤ０から読み込み、Ａ／Ｄ変換し、積分値、すなわちプリ発光時の発光量を本発光の発光量の基準値としてディジタル値で記憶する。
【０１１８】
＜フラットモデリング発光動作＞
フラットモデリング発光動作は、前述の演算されたモデリング発光量に基づき、前述したプリ発光動作と同じフラット発光動作を所定間隔で所定回数行う。
【０１１９】
＜閃光モデリング発光動作＞
閃光モデリング発光動作は、前述の演算されたモデリング発光量に基づき、前述したワイヤレス通信発光動作のパルスを発光する動作と同じ動作を所定の間隔で所定回数行う。
【０１２０】
以上説明した様に、第１の実施の形態では少なくとも１台以上のストロボに対して順次プリ発光を指示する情報の送信手段と、プリ発光による被写体反射光を測光する手段と、測光した被写体反射光と設定された光量比情報から、被写体反射光が所定の光量比となるべく各ストロボの発光量を演算する手段と、この演算された発光量をモデリング光量情報としてストロボに対して発光を指示する情報の送信手段を有し、上記ストロボはカメラからの情報を受信する手段と、閃光発光手段をもち、前記プリ発光を指示する情報を受信して、前記閃光発光手段を用いて所定のプリ発光を行い、前記所定光量のモデリング発光を指示する情報を受信して、所定光量のモデリング発光を行う発光制御手段とを備えることにより、各ストロボは、算出されたモデリング発光量に従って間欠発光を行うことにより、各ストロボの被写体との距離やディフーザーの有無灯の発光状態にかかわらず、設定された光量比でモデリング発光が行われるので、撮影に先立ち実際の撮影と同様の陰影条件を確認することが可能になる。
【０１２１】
（第２の実施の形態）
第１の実施の形態では、カメラに装着されたストロボと、カメラから離れた位置にあるストロボとの間で、設定した光量比による撮影効果を確認する為のモデリング発光を行うものであったが、第２の実施の形態では、２台のスレーブストロボを用いて、任意の位置においたスレーブストロボ間で光量比を設定できるものであり、カメラに装着されたストロボは、２台のスレーブストロボの制御だけを行う。
【０１２２】
図１１は制御専用モードとしたマスターストロボ（ＭＳ）と２台のスレーブストロボを用いた撮影例を示す図である。この制御専用モードとは、マスターストロボ自体は撮影に寄与せず、スレーブストロボの制御だけを行うモードである。スレーブストロボはグループＡに設定したストロボ（ＳＳＡ）とグループＢに設定したストロボ（ＳＳＢ）を用いるものであり、マスターストロボＭＳにて設定した光量比により、グループＡとグループＢのストロボ間で任意の光量比を設定できるものである。
【０１２３】
なお、図１１の例ではマスターストロボとスレーブストロボは同一のものを用いているが、大がかりなマスターストロボの代わりに、発光量の少ない小型のＸｅ管や、高輝度ダイオードを用いて、本発光機能を省いた光通信制御専用のコントローラとしてもよい。
【０１２４】
各ストロボは第１の実施の形態と同じものであるので、ここでは説明を省略する。
【０１２５】
次に図１２を用いて、第２の実施の形態におけるストロボの液晶表示器２４０の表示例を説明する。
【０１２６】
図１２の（Ａ）は制御専用モード設定時の表示例であり、第１の実施の形態で説明した図６（Ａ）の液晶表示から、３０５の正面発光マークを消灯し、視覚的に送信専用モードであることを表現する。
【０１２７】
図１２（Ｂ）はグループＡに設定したワイヤレススレーブモードの表示例である。スレーブモード時はワイヤレス表示アイコンは矢印がストロボ側を向くことによりスレーブモードであることを視覚的に表現する。３０７は発光グループ表示であり、グループＡに設定されたスレーブストロボであることを示す。
【０１２８】
図１２（Ｃ）はグループＢに設定したワイヤレススレーブモードの表示例である。３０７にグループＢに設定されたスレーブストロボであることを示す。
【０１２９】
次に第２の実施の形態に於ける２灯光量比モデリング発光の動作を図１３、図１４を用いて説明する。
【０１３０】
図１３は所定光量比のモデリング発光を行う場合の動作を説明するフローチャートであり、図１４はタイミングを説明するタイミングチャートである。
【０１３１】
［ステップ２００］  図１４の時刻ｔ０に於いて、カメラのモデリング開始スイッチをオンすると、カメラは時刻ｔ１にマスターストロボに対してグループＡストロボに所定のプリ発光を行う為の指示をストロボとカメラの通信ラインを介して公知のシリアル通信で指示を行う。
【０１３２】
［ステップ２０１］  マスターストロボＭＳはこのカメラからの通信を受信すると、図１４（１）、（２）に示す様に、Ｘｅ管１９をパルス的に発光させ、この光パルスの組み合わせでＡグループワイヤレススレーブストロボに対してプリ発光を指示する光通信を送信する。送信終了すると、ストロボはＤ０信号ラインをＨｉレベルに戻してカメラにプリ発光指示送信が終わったことを伝達する。次に時刻ｔ５に於いて、カメラはプリ発光開始指示の為に、ＣＬＫ通信ラインをＬｏレベルに引き下げ、マスターストロボＭＳはこれを検出してプリ発光開始パルス（図１４（３））を発生する。
【０１３３】
［ステップ２０２］  スレーブストロボＳＳＡはマスターストロボからのグループＡストロボプリ発光指示コマンド（図１４（１））、およびプリ発光光度（図１４（２））を受信した後、プリ発光開始パルス（図１４（３））に同期して所定発光光度、所定発光時間のプリ発光を行う（図１４の（４））。
【０１３４】
［ステップ２０３］  スレーブストロボのプリ発光が開始して同期して、マスターストロボは図１４中の（Ｄ）に示す様に、ＤＯ通信ラインをＬｏレベルに引き下げるので、カメラはこれに同期してスレーブストロボによる被写体反射光を測光センサー７で測光し、ストロボ適正発光量（Ａ＿ＧＡＩＮ）を算出する。
【０１３５】
［ステップ２０４］  次に、ステップ２００と同じ手順で、カメラはマスターストロボに対して公知のシリアル通信で、グループＢストロボのプリ発光を指示する。
【０１３６】
［ステップ２０５］  マスターストロボＭＳはステップ２０１と同じ手順で、Ｘｅ管１９をパルス発光させてグループＢストロボに対してプリ発光指示送信（図１４（５）、（６））を行う。次にカメラはステップ２０２と同じ手順で、時刻ｔ１１でマスターストロボに対してグループＢストロボのプリ発光を指示すると、マスターストロボＭＳはグループＢストロボにプリ発光を開始させる為に時刻ｔ１１でプリ発光開始パルス（図１４（７））を発生する。
【０１３７】
［ステップ２０６］  一方、スレーブストロボＳＳＢは、マスターストロボからのプリ発光指示通信（図１４（５）、（６））を受信してプリ発光をする為の準備を行い、続く発光開始パルスを受信して図１４に示す様に、所定発光時間、所定発光光度のプリ発光（図１４（８））を行う。
【０１３８】
［ステップ２０７］  グループＢストロボのプリ発光の開始に同期して、マスターストロボは図１４中のＤに示す様に、ＤＯ通信ラインをＬｏレベルに引き下げるので、ステップ２０３と同様に、カメラはこれに同期してマスターストロボによる被写体反射光を測光センサー７で測光しストロボ適正発光量（Ｂ＿ＧＡＩＮ）を算出する。
【０１３９】
［ステップ２０８］  事前にストロボからカメラにシリアル通信ラインＣＬＫ、ＤＩ、ＤＯを介して送られている光量比設定値に相当するＡグループストロボとＢグループストロボの露出補正値（図８に示すデータでありそれぞれＡ＿ＣＯＭＰ、Ｂ＿ＣＯＭＰとする）をＡ、Ｂ各グループストロボのそれぞれの発光量データに加算して、各グループストロボの発光量を演算する（すなわちＡ＿ＧＡＩＮ＝Ａ＿ＧＡＩＮ＋Ａ＿ＣＯＭＰ、Ｂ＿ＧＡＩＮ＝Ｂ＿ＧＡＩＮ＋Ｂ＿ＣＯＭＰ）。
【０１４０】
［ステップ２０９］  カメラはｔ１３のタイミングで、ステップ２０８で算出したＡ、Ｂ各グループの発光量をマスターストロボに指示すると共にモデリングの開始を指示する。
【０１４１】
［ステップ２１０］  マスターストロボＭＳはモデリング発光量を受信すると、ストロボが発光できるモデリング発光の最大発光量（ＭＡＸ＿ＭＯＤＥＬ）と、Ａ、Ｂ各グループストロボの発光量のうちの最大値（ＭＡＸ＿ＧＡＩＮ＝ＭＡＸ（Ａ＿ＧＡＩＮ、Ｂ＿ＧＡＩＮ））との差分をそれぞれの発光量に加算することで実際のモデリング発光量を演算し、モデリング発光コマンド（図１４（９））、グループＡストロボのモデリング発光量（図１４（１０））、グループＢストロボのモデリング発光量（図１４（１１））をスレーブストロボに対して送信する。
【０１４２】
［ステップ２１１］  スレーブストロボＳＳＡは、時刻ｔ１４、ｔ１５、ｔ１６で受信したモデリング開始コマンドおよびデータのうち、ｔ１５のＡグループスレーブストロボの発光量にて、時刻ｔ１８から所定時間（所定回数）間欠発光を行う（図１４のＦ）またはＨ））。
【０１４３】
［ステップ２１２］  スレーブストロボＳＳＢは時刻ｔ１４、ｔ１５、ｔ１６で受信したモデリング開始コマンドおよびデータのうち、ｔ１６のＢグループスレーブストロボの発光量にて、時刻ｔ１８から所定時間（所定回数）間欠発光を行う（図１４のＧ）またはＩ））。
【０１４４】
以上説明した様に、第２の実施の形態では、カメラに装着したスレーブストロボのコントローラが、少なくとも２台以上のストロボに対して順次プリ発光を指示する情報の送信手段と、プリ発光による被写体反射光を測光する手段と、測光した被写体反射光と設定された光量比情報から、被写体反射光が所定の光量比となるべく各ストロボの発光量を演算する手段と、この演算された発光量をモデリング光量情報としてストロボに対して発光を指示する情報の送信手段を有し、上記ストロボはカメラからの情報を受信する手段と、閃光発光手段をもち、前記プリ発光を指示する情報を受信して、前記閃光発光手段を用いて所定のプリ発光を行い、前記所定光量のモデリング発光を指示する情報を受信して、所定光量のモデリング発光を行う発光制御手段とを備えることにより、各ストロボは、算出されたモデリング発光量に従って間欠発光を行うことにより、各ストロボの被写体との距離やディフーザーの有無灯の発光状態にかかわらず、設定された光量比でモデリング発光が行われるので、撮影に先立ち実際の撮影と同様の陰影条件を確認することが可能になる。
【０１４５】
（第３の実施の形態）
第３の実施の形態では、カメラに内蔵されたストロボを用いてスレーブストロボ制御用の信号を発生することにより、カメラから離れた位置に設置された少なくとも１台以上のストロボを制御し、設定した光量比による撮影効果を確認する為のモデリング発光を行うものである。
【０１４６】
図１５は第３の実施の形態に於けるカメラの横断面を示す。図１と対応する部材には同じ番号が付されているので説明は省略する。
【０１４７】
同図において、１１８，１１９はフレネルレンズと反射板であり、それぞれ発光エネルギーを効率良く被写体に向けて集光する役目である。１２０は発光手段としてのキセノン管である。１２１は内蔵ストロボのＴＴＬ自動調光を行う為のフィルム面の反射光をモニタする為の調光センサであり、１２２は調光センサにフィルム面の像を結像する為のレンズである。１２３はＸｅ管１２０の発光量を直接モニタする為の受光素子である。
【０１４８】
図１６は第３の実施の形態に於ける回路のブロック図である。図２と対応する部材には同じ番号が付されている。
【０１４９】
同図に於いて、１１３はストロボの発光制御を行う為のストロボ発光回路である。この回路は図１７で詳細に説明する。
【０１５０】
図１７は１１３のストロボ発光制御回路の内部を説明する回路図である。同図に於いて、１２１はストロボによるフィルム面反射光を受光してＴＴＬ調光制御を行う為の受光センサ、１２３はＸｅ管１２０の発光を直接モニタする受光センサ、１２４は電源であるところの電池、１２５は公知のＤＣ−ＤＣコンバータであり、電池電圧を数１００Ｖに昇圧する。
【０１５１】
１２６は発光エネルギーを蓄積するメインコンデンサ、１２７，１２８は抵抗であり、メインコンデンサ１２６の電圧を所定比に分圧する。
【０１５２】
１２９は発光電流を制限する為のコイル、１３０は発光停止時にコイル８に発生する逆起電圧を吸収するダイオードである。
【０１５３】
１３１はトリガ発生回路、１３２はＩＧＢＴなどの発光制御回路、１３３はデータセレクタであり、Ｙ０、Ｙ１の２入力の組み合わせにより、Ｄ０、Ｄ１、Ｄ２を選択してＹに出力する。
【０１５４】
１３４はワイヤレスパルス発光時にＸｅ管１２０の発光量を調停する為のコンパレータ、１３５はＴＴＬ調光制御時に所定の発光量でＸｅ管１２０の発光量を調停する為のコンパレータ、１３６は受光センサ１２３に流れる微少電流を増幅すると共に光電流を電圧に変換する測光回路、１３７は受光センサ１２１で受光した被写体反射光を積分する為の積分回路である。
【０１５５】
次に、図１８は第３の実施の形態におけるワイヤレスストロボシステムを用いた撮影例を示す図であり、２台のストロボを用いてＡ、Ｂ、２グループの２灯光量比撮影を行う例である。
【０１５６】
本第３の実施の形態では、カメラに内蔵したストロボが第１、第２実施の形態と同様に、グループＡ、グループＢ２台のスレーブストロボを制御する為のワイヤレス光信号を発生し、カメラ本体から離れた位置に配置されるグループＡに設定されたスレーブストロボと、グループＢに設定されたスレーブストロボに制御情報を送信し、各グループ間で任意の光量比での撮影が可能になる。また本発光時の光量比と同じ比率でモデリング発光を行うことができる。
【０１５７】
図１９はワイヤレスモード時のカメラのモニタ用ＬＣＤ４２の表示例である。同図において、１４１はシャッタースピード設定値、１４２は絞り設定値、１４３はフィルム撮影枚数表示、１４４は高速シンクロ表示、１４５はワイヤレスモード表示、１４６はチャネル表示、１４７はＡ：Ｂ光量比設定モードであることを示す表示、１４８は設定されているＡ：Ｂの光量比を示す表示である。
【０１５８】
次に第３実施の形態に於ける２灯光量比モデリング発光の動作を図２０、図２１を用いて説明する。図２０は所定光量比のモデリング発光を行う場合の動作を説明するフローチャートであり、図２１はタイミングを説明するタイミングチャートである。
【０１５９】
［ステップ３００］  図２１の時刻ｔ０に於いて、カメラのモデリング開始スイッチをオンすると、カメラは図２１（１）、（２）に示す様に、Ｘｅ管１９をパルス的に発光させ、この光パルスの組み合わせでグループＡスレーブストロボＳＳＡに対してプリ発光を指示する。この２バイトコマンドの内容は第１、第２の実施の形態と同じである。このコマンドの送信終了後、グループＡスレーブストロボがプリ発光を開始する為のトリガとなる発光開始パルス（図２１（３））を発生する。
【０１６０】
［ステップ３０１］  スレーブストロボＳＳＡはカメラからのプリ発光指示コマンド、およびプリ発光光度を受信した後、プリ発光開始パルスに同期して所定発光光度、所定発光時間のプリ発光（図２１（４））を行う。
【０１６１】
［ステップ３０２］  スレーブストロボＳＳＡのプリ発光に同期してカメラは被写体反射光を測光センサー７で測光し、ストロボ適正発光量（Ａ＿ＧＡＩＮ）を算出する。
【０１６２】
［ステップ３０３］  次に、カメラはステップ３００と同じ手順で、グループＢストロボのプリ発光を指示する。
【０１６３】
［ステップ３０４］  スレーブストロボＳＳＢはカメラからのプリ発光指示コマンド、およびプリ発光光度を受信した後、プリ発光開始パルスに同期して所定発光光度、所定発光時間のプリ発光（図２１（８））を行う。
【０１６４】
［ステップ３０５］  スレーブストロボＳＳＢのプリ発光に同期してカメラは被写体反射光を測光センサー７で測光し、ストロボ適正発光量（Ｂ＿ＧＡＩＮ）を算出する。
【０１６５】
［ステップ３０６］  カメラで設定され、モニタ用ＬＣＤ４２で表示されている光量比設定値（図１９、１４９）に相当するグループＡストロボとグループＢストロボの露出補正値（図７に示すデータでありそれぞれＡ＿ＣＯＭＰ、Ｂ＿ＣＯＭＰとする）をＡ、Ｂ各グループストロボのそれぞれの発光量データに加算して各グループストロボの発光量を演算する（すなわちＡ＿ＧＡＩＮ＝Ａ＿ＧＡＩＮ＋Ａ＿ＣＯＭＰ、Ｂ＿ＧＡＩＮ＝Ｂ＿ＧＡＩＮ＋Ｂ＿ＣＯＭＰ）。
【０１６６】
［ステップ３０７］  次に、ストロボが発光できるモデリング発光の最大発光量（ＭＡＸ＿ＭＯＤＥＬ）と、Ａ、Ｂ各グループストロボの発光量のうちの最大値（ＭＡＸ＿ＧＡＩＮ＝ＭＡＸ（Ａ＿ＧＡＩＮ、Ｂ＿ＧＡＩＮ））との差分をそれぞれの発光量に加算することで実際のモデリング発光量を演算し、モデリング発光コマンド（図２１（９））、グループＡストロボのモデリング発光量（図２１（１０））、グループＢストロボのモデリング発光量（図２１（１１））をスレーブストロボに対して送信する。
【０１６７】
［ステップ３０８］  スレーブストロボＳＳＡは受信したモデリング開始コマンドおよびデータのうち、グループＡスレーブストロボの発光量（図２１（１０））にて、時刻ｔ１０から所定時間（所定回数）間欠発光を行う（図２１のＣ）またはＧ））。
【０１６８】
［ステップ３０９］  スレーブストロボＳＳＢは受信したモデリング開始コマンドおよびデータのうち、グループＢスレーブストロボの発光量（図２１（１１））にて、時刻ｔ１０から所定時間（所定回数）間欠発光を行う（図２１のＤ）またはＨ））。
【０１６９】
以上説明した様に、第３の実施の形態ではカメラに内蔵したストロボが、少なくとも２台以上のストロボに対して順次プリ発光を指示する情報の送信手段と、プリ発光による被写体反射光を測光する手段と、測光した被写体反射光と設定された光量比情報から、被写体反射光が所定の光量比となるべく各ストロボの発光量を演算する手段と、この演算された発光量をモデリング光量情報としてストロボに対して発光を指示する情報の送信手段を有し、上記ストロボはカメラからの情報を受信する手段と、閃光発光手段をもち、前記プリ発光を指示する情報を受信して、前記閃光発光手段を用いて所定のプリ発光を行い、前記所定光量のモデリング発光を指示する情報を受信して、所定光量のモデリング発光を行う発光制御手段とを備えることにより、各ストロボは、算出されたモデリング発光量に従って間欠発光を行うことにより、各ストロボの被写体との距離やディフーザーの有無灯の発光状態にかかわらず、設定された光量比でモデリング発光が行われるので、撮影に先立ち実際の撮影と同様の陰影条件を確認することが可能になる。（第４の実施の形態）
第４の実施の形態では、カメラに複数のスレーブストロボを通信線で接続したものであり、第３の実施の形態では内蔵ストロボの発生する光パルスによりスレーブストロボを制御したものであるが、この制御信号を通信線を用いてスレーブストロボに伝達するようにしたものである。
【０１７０】
図２２は第４の実施の形態における撮影例を示す図であり、２台のスレーブストロボをカメラ本体に通信ケーブルで接続し、Ａ、Ｂ、２グループの２灯光量比撮影およびモデリング発光を行う例である。本実施の形態においては、光通信で送るべき情報を通信線で送信する様になった点を除いては、第３の実施の形態と同じであるので、説明は省略する。
【０１７２】
【発明の効果】
以上説明した様に、本発明によれば、設定された光量比が実際の被写体陰影条件に合致するモデリング発光を行うことができる。
【図面の簡単な説明】
【図１】本発明の第１実施の形態におけるストロボシステムのマスターストロボの横断面図。
【図２】図１のカメラ側の電気回路ブロック図。
【図３】図１のストロボの電気回路ブロック図。
【図４】（Ａ）、（Ｂ）は図１のストロボの正面図と背面図。
【図５】本発明の第１実施の形態における撮影例を示す概略図。
【図６】（Ａ）（Ｂ）は図４のストロボの表示器の表示例。
【図７】本発明の第１実施の形態における光量比設定テーブル。
【図８】本発明の第１実施の形態におけるカメラとストロボの動作を説明するフローチャート。
【図９】本発明の第１実施の形態におけるカメラとストロボの動作を説明するタイミングチャート。
【図１０】本発明の第１実施の形態におけるストロボの発光波形を説明するタイミングチャート。
【図１１】本発明の第２実施の形態における撮影例を示す概略図。
【図１２】（Ａ）（Ｂ）（Ｃ）は本発明の第２実施の形態におけるストロボの表示器の表示例。
【図１３】本発明の第２実施の形態におけるカメラとストロボの動作を説明するフローチャート。
【図１４】本発明の第２実施の形態におけるカメラとストロボの動作を説明するタイミングチャート。
【図１５】本発明の第３実施の形態におけるカメラの横断面図。
【図１６】図１５のカメラの電気回路ブロック図。
【図１７】本発明の第３実施の形態のストロボの電気回路ブロック図。
【図１８】本発明の第３実施の形態における撮影例を示す概略図。
【図１９】本発明の第３実施の形態におけるカメラの表示器の表示例。
【図２０】本発明の第３実施の形態におけるカメラとストロボの動作を説明するフローチャート。
【図２１】本発明の第３実施の形態におけるカメラとストロボの動作を説明するタイミングチャート。
【図２２】本発明の第４実施の形態における撮影例を示す概略図。
【符号の説明】
１  カメラ本体                        ２  主ミラー
３  ピント板                          ４  ペンタプリズム
５  アイピース                        ６  結像レンズ
７  測光センサー                      ８  シャッター
９  感光部材                          １０  マウント接点群
１１  レンズ鏡筒                      １２〜１４  撮影レンズ
１５  撮影レンズ絞り                  １６，１７  モータ
１８  ストロボ                        １９  キセノン管
２５  サブミラー                      ２６  焦点検出ユニット
２７  ２次結像ミラー                  ２８  ２次結像レンズ
２９  焦点検出ラインセンサ            ３０  光伝達手段
３１  受光素子                        ３２  受光手段
１００  カメラマイコン                １０１  発振器
１０５  焦点検出回路                  １０６  測光回路
１０７  シャッター制御回路            １０８  モータ制御回路
１０９  フィルム走行検知回路          １１０  スイッチセンス回路
１１１  ＬＣＤ駆動回路                ２３８  ストロボマイコン
【図１】
0004392874.tif 000002
【図２】
0004392874.tif 000003
【図３】
0004392874.tif 000004
【図４】
0004392874.tif 000005
【図５】
0004392874.tif 000006
【図６】
0004392874.tif 000007
【図７】
0004392874.tif 000008
【図８】
0004392874.tif 000009
【図９】
0004392874.tif 000010
【図１０】
0004392874.tif 000011
【図１１】
0004392874.tif 000012
【図１２】
0004392874.tif 000013
【図１３】
0004392874.tif 000014
【図１４】
0004392874.tif 000015
【図１５】
0004392874.tif 000016
【図１６】
0004392874.tif 000017
【図１７】
0004392874.tif 000018
【図１８】
0004392874.tif 000019
【図１９】
0004392874.tif 000020
【図２０】
0004392874.tif 000021
【図２１】
0004392874.tif 000022
【図２２】
0004392874.tif 000023